(57)【要約】【課題】簡易な構成で係止部と係止受け部との係止を外れにくくすることができ、仮保持の状態を適切に維持することができる片サドルを提供すること。【解決手段】互いに対向する上側固定片３及び下側固定片４にそれぞれ係止部３０及び係止受け部３２ｂを形成し、係止部３０と係止受け部３２とが、サドル本体２が管状部材から受ける反発力又はサドル本体２の復元力によって上側固定片３及び下側固定片４の長手方向に押し付け合って係止されるようにした片サドル１において、係止受け部３２ｂに押し付けられる係止部３０の傾斜面３４を幅方向に湾曲する円弧面として形成した。【選択図】図５
2010014263.tif 000002
【特許請求の範囲】
【請求項１】
配管・配線等の管状部材の外周を覆うサドル本体と、
前記サドル本体の両端部にあり、互いに対向する第１及び第２の固定片と、を備え、
前記第１及び第２の固定片が、それぞれ係止部及び係止受け部を有し、且つ、前記サドル本体が前記管状部材から受ける反発力又は前記サドル本体の復元力によって前記係止部と前記係止受け部とが前記第１及び第２の固定片の長手方向に押し付け合って係止されるようにした片サドルにおいて、
前記係止部及び前記係止受け部の少なくとも一方は、押し付け合わされる面が前記長手方向に直交する方向において湾曲している、片サドル。
【請求項２】
前記第２の固定片は、当該片サドルが固定される被固定部に対して、固定座となるものであり、
前記係止受け部は、前記長手方向に直交する方向に真直ぐに延在する溝状の部位であり、
前記係止部は、前記係止受け部に押し付けられる面が、曲率中心を前記サドル本体側に有する円弧面で構成されている、請求項１に記載の片サドル。
【請求項３】
前記曲率中心は、前記長手方向に直交する方向において、前記第１の固定片の中央に相当する位置にある、請求項２に記載の片サドル。
【請求項４】
前記係止部は、前記第１の固定片に一つあり、
前記係止受け部は、前記第２の固定片の先端から基端にかけて複数が並列してあり、
前記第２の固定片の先端に近い方の係止受け部は、その基端に近い方の係止受け部に比べて、前記係止部に押し付けられる面と対向する面の傾斜が緩やかに構成されている、請求項２又は３に記載の片サドル。
【発明の詳細な説明】
【技術分野】
【０００１】
本発明は、配管・配線等の管状部材を例えば建造物の壁などに沿わせて固定する片サドルに関するものである。
【背景技術】
【０００２】
この種の片サドルは、広く知られている（特許文献１〜８参照。）。このうち、例えば特許文献１に記載のものは、サドル本体の一方の端部にある上側固定片が、下向きに突出した係止部を一つ有し、他方の端部にある下側固定片が、溝状の係止受け部を複数有している。そして、壁などへの固定作業時に片サドルを仮保持できるように、片サドルのもつ弾発力を利用することで、係止部を係止受け部に押圧させて係止させている。
【特許文献１】特開２００８−２５７９６号公報
【特許文献２】実開昭５４−１８１０２３号公報
【特許文献３】実開昭５２−７９４６９号公報
【特許文献４】実開昭５２−１３７０９９号公報
【特許文献５】実開昭５９−４３７６５号公報
【特許文献６】実開昭５９−７２２６２号公報
【特許文献７】特開平４−２２４３８３号公報
【特許文献８】実開平７−２９３８７号公報
【発明の開示】
【発明が解決しようとする課題】
【０００３】
しかし、この係止部及び係止受け部の両方とも、仮保持の際に互いに押し付け合う面が押付け方向と直交する方向に真直ぐに延在している。このため、図５（ａ）に示すように、上側固定片３´が下側固定片４´に対して押付け方向と直交する方向に水平面内で位置ズレすると、係止部３０´の角部３０ａ´（端部）でしか係止受け部３２´には押し付けられないことになる。それゆえ、係止部３０´が係止受け部３２´から外れ易かった。
【０００４】
もっとも、かかる問題を考慮して、固定片に別途係止部及び係止受け部を形成することも考えられるが、これでは構成が複雑化し、金型代も嵩んでしまう。
【０００５】
本発明は、以上の問題に鑑みてなされたものであり、その目的は、簡易な構成で係止部と係止受け部との係止を外れにくくすることができ、仮保持の状態を適切に維持することができる片サドルを提供することである。
【課題を解決するための手段】
【０００６】
上記目的を達成するための本発明の片サドルは、配管・配線等の管状部材の外周を覆うサドル本体と、サドル本体の両端部にあって互いに対向する第１及び第２の固定片と、を備え、第１及び第２の固定片が、それぞれ係止部及び係止受け部を有し、且つ、サドル本体が管状部材から受ける反発力又はサドル本体の復元力によって係止部と係止受け部とが第１及び第２の固定片の長手方向に押し付け合って係止されるようにしたものにおいて、係止部及び係止受け部の少なくとも一方は、押し付け合わされる面が長手方向に直交する方向（すなわち、幅方向）において湾曲しているものである。
【０００７】
本発明によれば、係止部及び係止受け部の少なくとも一方の押し付け合わされる面が湾曲しているので、この面がストレートである場合に比べて、第１の固定片と第２の固定片とがその幅方向に位置ズレしたときにも、押し付け合っている面の接触面積を広く確保し易かったり、面の幅方向の角部ではなく幅方向の中央よりの部位を接触させ易い。これにより、係止部と係止受け部との係止が外れにくくなり、片サドルを固定する前の仮保持の状態を適切に維持することが可能となる。
【０００８】
好ましくは、第２の固定片は、片サドルが固定される被固定部に対して、固定座となるものであり、係止受け部は、幅方向に真直ぐに延在する溝状の部位であり、係止部は、係止受け部に押し付けられる面が、曲率中心をサドル本体側に有する円弧面で構成されるとよい。
【０００９】
この構成によれば、係止部及び係止受け部のうちの一方の面だけを円弧面にしているので、両方を円弧にする場合に比べて、例えば金型代などのコストを抑えることができる。また、位置ズレする際は第１の固定片が第２の固定片に対して動くが、この動く方の面を円弧面にしているので、これとは逆の場合に比べて、位置ズレ時に外れにくくすることができる。
【００１０】
より好ましくは、円弧面の曲率中心は、第１の固定片の幅方向の中央に相当する位置にあるとよい。
【００１１】
こうすることで、係止受け部に対する円弧面の接触位置が幅方向の中央よりとなるので、係止部と係止受け部との係止が外れにくくなる。
【００１２】
より好ましくは、係止部は、第１の固定片に一つあり、係止受け部は、第２の固定片の先端から基端にかけて複数が並列してあり、第２の固定片の先端に近い方の係止受け部は、その基端に近い方の係止受け部に比べて、係止部に押し付けられる面と対向する面の傾斜が緩やかに構成されるとよい。
【００１３】
この構成によれば、係止部を複数の係止受け部に段階的に且つ任意の位置に係止させることができるので、一つの片サドルで複数の太さの管状部材に対応することができる。加えて、面の傾斜に緩急をつけているので、傾斜角度を一律にする場合に比べて、第２の固定片の先端側の係止受け部に対しても係止部を収め易くすることができる。
【発明を実施するための最良の形態】
【００１４】
以下、添付図面を参照して、本発明の好適な実施形態に係る片サドルについて説明する。
【００１５】
図１及び図２に示すように、片サドル１は、サドル本体２、上側固定片３及び下側固定片４で構成される。サドル本体２の一方の端部に上側固定片３が連なり、サドル本体２のもう一方の端部に下側固定片４が一体に連なる。片サドル１を用いて、配管や配線等の管状部材を壁などに固定する場合には、下側固定片４が固定座となって壁に接触する。
【００１６】
片サドル１の材質は、例えば、合成樹脂や、亜鉛引き鋼板などの軟質合金である。片サドル１の特性として、サドル本体２が弾性的に縮径するように変形可能に構成されると共に、この縮径したサドル本体２に復元力が働くようになっている。
【００１７】
サドル本体２は、管状部材の外周を覆って、内側に管状部材を保持するものである。サドル本体２は、全体として略Ｃ字状の帯片からなり、所定の長さと幅を有する。詳細には、サドル本体２は、円弧部１０及び鉛直部１２からなり、円弧部１０は、下側固定片４に連なる部分Ｐ１から鉛直部１２に連なる部分Ｐ２まで延在する。鉛直部１２は、上下方向に延在して上側固定片３に連なっており、上側固定片３とともに構成する略Ｌ字状の一辺の部位に相当する。
【００１８】
上側固定片３及び下側固定片４は、ともにサドル本体２と同じ幅と同程度の厚みを有する板状の部位である。下側固定片４は、上側固定片３をその長手方向に越えて延在しており、自由状態では上側固定片３に隙間を存して対向している。この両者をその長手方向に相対的に移動させることで、サドル本体２の内径が変形する。この変形によって、上側固定片３と下側固定片４とは、その隙間をなくすように互いに重ね合わせることができるようになっている。
【００１９】
上側固定片３には、その全体の中央部に一つの固定孔２０が貫通形成されている。これに対応して、下側固定片４には、その幅方向の中央部に二つの固定孔２２，２４が貫通形成されている。固定孔２２，２４は、下側固定片４の長手方向に所定の長さ離間しており、下側固定片４の基端側に位置する固定孔２２は、その内径が固定孔２０の内径と同じである。一方、下側固定片４の先端側に位置する固定孔２４は、その内径が固定孔２０よりもやや大きくなっている。
【００２０】
管状部材が比較的太い場合には、ビス、ボルト、釘などの適当な固定具が固定孔２０及び固定孔２４を通して、被固定部である壁に固定される。一方、管状部材が比較的細い場合には、固定具が固定孔２０及び固定孔２２を通して壁に固定される。いずれの場合も、上側固定片３及び下側固定片４が固定具により共締めされて壁に固定され、この固定時において、上側固定片３及び下側固定片４の互いに対向する内面が面一に重なり合うようになっている。
【００２１】
上側固定片３は、その先端に係止部３０を有している。これに対応して、下側固定片４は、溝状の二つの係止受け部３２ａ、３２ｂを有している。なお、係止受け部の数は二つに限定されるものではなく、一つでもよいし、三つ以上でもよい。また、係止受け部の位置も限定されるものではない。
【００２２】
係止部３０は、断面三角形の部位であり、先端面として、先下がりに傾斜する傾斜面３４を有している。傾斜面３４は、図３に示すように、上側固定片３の幅方向において湾曲した一つの円弧面となっており、その円弧の曲率中心Ａ１は、サドル本体２側、すなわち上側固定片３の基端側で且つその幅方向の中心に位置している。傾斜面３４の曲率は、Ｒ１０〜Ｒ５０が好ましく、最も好ましくはＲ３０である。なお、傾斜面３４の上端３４ａ及び下端３４ｂは、上側固定片３の他の上面及び下面と同じ高さレベルにある。もっとも、係止部３０を上側固定片３の下面から突出させるようにしてもよく、その位置も先端に限られない。
【００２３】
係止受け部３２ａ、３２ｂは、下側固定片４の長手方向において所定の長さ離間し、その幅方向に真直ぐに延在している。先端側に位置する係止受け部３２ａは、下側固定片４の先端と固定孔２４との間にあり、基端側に位置する係止受け部３２ｂは、固定孔２４と固定孔２２との間にある。
【００２４】
係止受け部３２ａは、先端側にある突当て面４０と、突当て面４０に対向する基端側の受入れ面４２と、両者の下端を連ねる底面４４と、で構成されている。同様に、係止受け部３２ｂも、突当て面５０、受入れ面５２及び底面５４で構成されている。底面４４、５４は、水平に延在すると共に、例えば同じ深さ位置で同じ長さに構成される。
【００２５】
突当て面４０，５０は、係止部３０の傾斜面３４と同じ又は同程度の角度で、上端から下端にかけて先端側へと傾斜している。突当て面４０、５０は、仮保持の際に傾斜面３４が突き当てられる。突当て面４０，５０は、互いに異なる傾斜角度であってもよいが、ここでは同じ傾斜角度となっている。
【００２６】
受入れ面４２、５２は、ともに上端から下端にかけて先端側に向かって傾斜するが、その傾斜角度が異なっている。詳細には、受入れ面４２の傾斜は受入れ面５２の傾斜よりも緩やかに構成されている。これにより、受入れ面４２，５２の傾斜角度を同じにする場合に比べて、係止受け部３２ａへの係止部３０の収め易さを向上している。なお、受入れ面５２の上端は丸面取りされている。
【００２７】
図４（ａ）に示すように、管状部材６０が比較的太い場合には、係止部３０の一部を納めるのに先端側の係止受け部３２ａが用いられる。一方、図４（ｂ）に示すように、管状部材６０が比較的細い場合には、係止部３０の一部を納めるのに基端側の係止受け部３２ｂが用いられる。なお、図４（ｂ）では、管状部材６０を省略している。いずれの場合も、傾斜面３４の下端３４ｂと突当て面４０又は５０とが、縮径したサドル本体２の復元力又はサドル本体２が受ける管状部材６０からの反発力によって、上側固定片３及び下側固定片４の長手方向に押し付け合って係止される。
【００２８】
詳述すると、特に図４（ｂ）に示す場合には、サドル本体２の縮径の変形量が大きく、サドル本体２には大きな復元力が働くことになる。この復元力によって、傾斜面３４と突当て面５０とは強く押し付け合って係止する。一方、図４（ａ）に示す場合には、サドル本体２の縮径の変形量はそれほど大きくないが、変形に伴う復元力がサドル本体２に働くか、これと同時にあるいはこれとは別に、管状部材６０から受ける反発力がサドル本体２に働く。この復元力又は反発力によって、傾斜面３４と突当て面５０とが押し付け合って係止することになる。
【００２９】
このような係止が可能であるため、片サドル１は、実際に固定具を用いて壁に固定される前に、係止部３０と係止受け部３２ａ、３２ｂとの係止状態を保持、すなわち係止部３０を係止受け部３２ａ、３２ｂから離脱させることなく、仮保持（仮固定）することができるようになっている。
【００３０】
なお、管状部材６０の外周面をサドル本体２の内周面等で直接包持してもよいが、図４（ａ）に示すように、発泡材６５を介して包持してもよい。発泡材６５は、管状部材６０の外周側に設けられ、断熱材として機能するものである。管状部材６０よりも柔軟の発泡材６５を用いた場合には、サドル本体２が発泡材６５から受ける反発力が小さくなる。しかし、上記したように、サドル本体２に鉛直部１２を形成しているので、係止時に発泡材６５は鉛直部１２の部分で異形に押し潰される。これにより、サドル本体２に適度な反発力をもたらすことができるようになっている。
【００３１】
次に、本実施形態の作用効果について、図５を参照して説明する。
図５（ａ）は比較例（従来技術）に係る片サドルが位置ズレしたときの部分拡大平面図であり、図５（ｂ）は本実施形態に係る片サドル１が位置ズレしたときの部分拡大平面図である。
【００３２】
図５（ａ）に示す片サドルでは、上側固定片３´が下側固定片４´に対して幅方向に水平面内で位置ズレすると、係止部３０´の角部３０ａ´（端部）でしか係止受け部３２´には押し付けられないことになる。これは、係止部３０´及び係止受け部３２´がともに幅方向に真直ぐに延在しているからである。
【００３３】
これに対し、図５（ｂ）に示す片サドル１では、上側固定片３が下側固定片４に対して幅方向に水平面内で位置ズレするとき、傾斜面３４の曲率にならって上側固定片３が下側固定片４に対して移動する。そして、位置ズレした状態では、傾斜面３４の角部３４ｃよりも中央よりの部位３４ｄが係止受け部３２ｂに押し付けられることになる。このため、傾斜面３４と係止受け部３２ｂとの接触面積も、図５（ａ）に示す場合に比べて大きくすることができる。
【００３４】
したがって、本実施形態の片サドル１によれば、仮保持時に位置ズレしても、係止部３０と係止受け部３２ａ，３２ｂとの接触点（部位３４ｄ）が、下側固定片４の端（角部）ではなく、幅方向の中央よりとなる上、その接触面積を比較的広く確保することができる。よって、係止部３０と係止受け部３２ａ，３２ｂとを外れにくくなり、片サドル１を固定する前の仮保持の状態を適切に維持することができる。
【００３５】
また、位置ズレする際に動く方、つまり上側固定片３の方に湾曲した傾斜面３４を形成しているので、下側固定片４に湾曲面を形成する場合に比べて、位置ズレ時に外れにくくすることができる。さらに、位置ズレしていないとき、つまり正常の位置にあるときも、係止部３０と係止受け部３２ａ，３２ｂとの接触点が、下側固定片４の幅方向の中央となるため、仮保持の状態を適切に維持することができる。そして、片サドル１を用いて実際に管状部材を固定するには、作業者は、一方の手で仮保持の状態の片サドル１を押さえつつ、もう一方の手でビス等による本固定を行うことができる。
【００３６】
片サドル１を用いた配管の施工性について簡単に補足する。この片サドル１は床ころがし配管、壁立ち上げ配管又は天井配管などといった配管条件で使用することができ、配管施工に際しては、片サドル１の割りの部分を広げて配管を片サドル１にとおし、固定具として例えばビスを一本用いて固定する。片サドル１が上記のように構成されているため、異なるサイズの配管（発泡材付きを含む。）について、作業者が指でビス穴位置（固定孔２２，２４）を維持するようにしなくとも、ワンタッチで簡単に定位置に固定することができる。また、一本のビスで片サドル１を先に固定せず、配管の固定もできる。したがって、施工性を向上することができる。
【００３７】
＜変形例＞
本実施形態の変形例について説明する。
係止受け部３２ａ，３２ｂに押し付けられる係止部３０の面７０（上記実施形態では、傾斜面３４が相当する。）は、一つの曲率中心Ａ１だけでなく、複数の曲率中心を有する湾曲した形態であってもよい。
【００３８】
例えば、図６（ａ）に示すように、押付け面７０は、上側固定片３の幅方向の両側に二つの円弧面７１，７２と、これらを連ねる中央のストレート面７３と、で構成されてもよい。この場合、円弧面７１，７２は、ストレート面７３よりも先端側に突出するように形成され、いずれも、基端側に曲率中心を有している。また、図６（ｂ）に示すように、ストレート面７３に代えて、円弧面７１,７２に対して凹状となる円弧面７４を採用してもよい。この円弧面７４の曲率中心は、円弧面７１，７２の曲率中心とは反対側の先端側に位置することになる。このような態様の押付け面７０であっても、比較例に係る片サドルに比べて、係止が外れにくくなり、仮保持の状態を維持することができる。
【００３９】
また、係止部３０に代えて、係止受け部３２ａ，３２ｂ側の押付け面（上記実施形態では、突当て面４０，５０が相当する。）を幅方向において湾曲させてもよい。そして、係止受け部３２ａ，３２ｂ側の押付け面が、単一の円弧面で構成される場合には、曲率中心を下側固定片４の先端側（サドル本体２とは逆側）であってその幅方向の中央に有するとよい。もっとも、この押付け面も複数の円弧面で構成することもできる。
【００４０】
さらに、係止部３０に加えて、係止受け部３２ａ，３２ｂ側の押付け面も幅方向において湾曲させてもよい。この場合には、係止部３０の押付け面（上記の傾斜面３４又は押付け面７０）と係止受け部３２ａ，３２ｂの押付け面とを互いに相補的な湾曲形状としてもよく、こうすることで、両者をストレート面とする場合よりも接触面積を大きくすることができる。なお、相補的な形状とする際に、係止部３０の押付け面の曲率と係止受け部３２ａ，３２ｂの押付け面の曲率とを僅かに代えてもよい。
【図面の簡単な説明】
【００４１】
【図１】実施形態に係る片サドルの斜視図である。
【図２】図１の片サドルの正面断面図である。
【図３】図１の片サドルの平面図である。
【図４】図１の片サドルの側面図であり、（ａ）は係止部が先端側の係止受け部に係止した状態を示す図であり、（ｂ）は係止部が基端側の係止受け部に係止した状態を示す図である。
【図５】位置ズレしたときの片サドルの一部を拡大して示す平面図であり、（ａ）は従来技術（比較例）に係る片サドルを示す図であり、（ｂ）は実施形態に係る片サドルを示す図である。
【図６】（ａ）及び（ｂ）のいずれも、実施形態の変形例に係る片サドルの係止部を拡大して示す平面図である。
【符号の説明】
【００４２】
１・・・片サドル、２・・・サドル本体、３・・・上側固定片（第１の固定片）、４・・・下側固定片（第２の固定片）、３０・・係止部、３２ａ、３２ｂ・・・係止受け部、３４・・・傾斜面、４０，５０・・・突当て面、４２，５２・・・受入れ面、６０・・・管状部材
【図１】
2010014263.tif 000003
【図２】
2010014263.tif 000004
【図３】
2010014263.tif 000005
【図４】
2010014263.tif 000006
【図５】
2010014263.tif 000007
【図６】
2010014263.tif 000008